(57)【特許請求の範囲】
【請求項１】
天井板に開口された開口部に取り付けられる外枠体と、その外枠体の開口部に開閉部材によって開閉可能に組み付けられた内枠体とを備えた天井点検口であって、
前記開閉部材は、細長い板状の開閉用アームと、屈曲したバネ部材とからなり、
前記開閉用アームは、両端部に回転止が形成され、一方の端部近傍で外枠部材に回動可能に軸支されるとともに、他方の端部で内枠体に回動可能に軸支され、
前記バネ部材は、前記外枠体に設けられた掛止部材に掛止されるとともに、前記開閉用アームに設けられた掛止部材にも掛止され、これにより前記内枠体が閉まる方向に付勢されていることを特徴とする天井点検口。 
【発明の詳細な説明】
【技術分野】
【０００１】
この発明は、建築物、船舶等の構築物の天井板に開口された開口部に装着される天井点検口に関する。
【背景技術】
【０００２】
建築物、船舶、地下通路等の構築物の天井裏に配設された各種の配線・配管等を保守・点検するために、天井板に開口を形成し、この開口部に天井点検口を設置し、必要が生じた場合には、この天井点検口から天井裏に入って点検や修理等を行うことがよく行われている。
【０００３】
従来より板状体の周囲に枠が設けられた蓋状のものを、単に天井の開口部に載置し、点検の際に蓋を持ち上げて横にずらし、天井裏に入って点検等を行うことが、一般に行われているが、部屋の美観上余り好ましくない。
【０００４】
そこで、開口部に外枠体を取り付けるとともに、その外枠体の開口部に開閉機構によって開閉可能に組み付けられた内枠体とを備えた天井点検口が提案されている。
例えば、特許文献１には、縦横の各内枠材の基壁部の外側からその嵌込み溝に内枠コ−ナ具を差し込むことにより、内枠体が容易に枠組み構成することができる共に、内枠コ−ナ具の嵌込み溝の上方に位置して開閉用アームを配設することにより、外枠体が必要以上に大型化したり、あるいは、内枠体の外張出縁の張り出しが長くなる不具合を防止することができる天井点検口が開示されている。
【０００５】
【特許文献１】特開２０００−６４５８６号公報
【発明の開示】
【発明が解決しようとする課題】
【０００６】
上述した天井点検口は、開閉用アームを備えているので、開閉の際には、内枠体の開閉アームが設けられた側と反対側を下降、上昇させて、内枠体の開閉を行うことができ、極めて便利であるが、開閉の際に、内枠の一部を支持した状態で開閉を行わないと、急激に内枠が回転動作を行って垂れ下がるため、回転軸に負荷がかかりやすく、故障しやすいという問題があった。また、天井点検口の直ぐ下に、身体の一部や物等が存在することも考えられ、この場合には、身体の一部等にぶつかり易く、破損やけが等の不都合が発生し易いという問題があった。
【０００７】
本発明は、上記問題を解決するためになされたものであり、天井板に開口された開口部に取り付けられる外枠体と、その外枠体の開口部に開閉部材によって開閉可能に組み付けられた内枠体とを備えた天井点検口において、内枠体の開閉時に急激な開閉動作が行われることがなく、安全であるとともに、回転部分に負担がかからず、長期にわたって故障等が発生しにくい天井点検口を提供することを目的とする。
【課題を解決するための手段】
【０００８】
すなわち、本発明は、以下のようなものを提供する。
（１）天井板に開口された開口部に取り付けられる外枠体と、その外枠体の開口部に開閉部材によって開閉可能に組み付けられた内枠体とを備えた天井点検口であって、
上記開閉部材は、細長い板状の開閉用アームと、屈曲したバネ部材とからなり、
上記開閉用アームは、両端部に回転止が形成され、一方の端部近傍で外枠体に回動可能に軸支されるとともに、他方の端部で内枠体に回動可能に軸支され、
上記バネ部材は、上記外枠体に設けられた掛止部材に掛止されるとともに、上記開閉用アームに設けられた掛止部材にも掛止され、これにより上記内枠体が閉まる方向に付勢されていることを特徴とする天井点検口。
【０００９】
（１）の発明によれば、開閉用アームの両端部に回転止が形成されているので、開閉時において、必要以上に内枠体が開きすぎることがなく、適切な範囲で停止し、また、上記バネ部材により、上記内枠体は、常に閉まる方向に付勢されているので、天井点検口を開くときに急激な動作とならず、また、閉じる際にもスムーズに閉じることができ、安全であるとともに、回転部分に負担がかかりにくく、長期にわたって故障等が発生しにくい天井点検口を提供することができる。
【発明の効果】
【００１０】
本発明によれば、天井点検口の開閉を行う際に、急激な開閉動作とならず、安全であるとともに、回転部分に負担がかかりにくく、長期にわたって故障等が発生しにくい天井点検口を提供することができる。
【発明を実施するための最良の形態】
【００１１】
以下、本発明の実施形態について図面を用いて説明する。
勿論、本発明は、以下の実施形態に限定されるものではなく、本発明の構成を充足する範囲内で、適宜設計変更を行うことが可能である。
【００１２】
図１（ａ）は、本発明に係る天井点検口の角部の一部を模式的に示す平面図であり、（ｂ）は、（ａ）に示した部分を含む天井点検口の閉じた状態における縦断面図である。図２は、天井点検口の開いた状態における縦断面図である。
【００１３】
本発明の天井点検口１０では、天井の開口にもうけられ、鉛直方向に所定幅の側壁を有する平面視四角形の外枠体２７が天井部分に固定され、その内側に設けられたほぼ相似形で小型の内枠体２４が、上記四角形の１辺となる部分において、外枠体２７に回動可能に軸支されるとともに、開閉（回動）動作を行うように構成されている。
【００１４】
図１に示すように、内枠体２４の内部には、最上部及び最下部に板状体が設けられて、内枠体２４の蓋部２４０ａ及び底部２４０ｂを構成しており、一方、外枠体２７の最上部も所定の幅で内側に張り出している。
【００１５】
まず、角金具１６、１７について説明すると、この角金具１６、１７は、主面が直角に屈曲した部材で、図１に示す内枠体２４及び外枠体２７の角部に外側から取り付けられており、内枠体２４及び内枠体２７の機械的強度を補強するための補強部材として機能するとともに、内枠体２４に設けられた角金具１６は、開閉用アーム１５の一端を軸支するための軸支部材として機能する。
【００１６】
図３（ａ）は、内枠体の角部に取り付ける角金具を模式的に示す正面図であり、（ｂ）は、該角金具の平面図であり、（ｃ）は、該角金具の側面図である。
図３に示す内枠体用の角金具１６は、主面が直角に屈曲した板状体であるが、一面に開閉用アーム１５を軸支するための貫通孔１６０ａを有する円形の板状体１６０がプレス加工により突出形成されており、そのほかに内枠体２４に固定する際に使用する円形の貫通孔１６ａ、１６ｂが２箇所形成されている。
【００１７】
図１（ａ）、（ｂ）及び図２に示すように、開閉用アーム１５は、一の端部に比較的短い屈曲部（鉤部）１５ａを有する細長い平板状の板状体であり、図２に示すように、左端に、内枠体２４を開いた際に外枠体２７上部の内側に張り出した部分に当接するように回転止１５０ａが形成され、屈曲部１５ａの端部にも、内枠体２４を開いた際に内枠体２４下部の外側に延設された部分に当接するように回転止１５０ｂが形成されている。従って、内枠体１５は、これ以上の角度で開くことはなく、適切な範囲で停止させることができる。
【００１８】
また、図１（ｂ）に示すように、開閉用アーム１５の左端近傍には、軸支部材１２を挿通するための貫通孔１５ｂが形成され、軸支部材１２が挿通されて外枠体２７の側壁に固定されている。従って、開閉用アーム１５は、外枠体２７の側壁に固定された軸支部材１２により、一端の近傍で軸支されていることとなる。なお、符号１３は、ワッシャーである。
【００１９】
一方、開閉用アーム１５の右端にも、軸支部材１１を挿通するための貫通孔１５ｃが形成され、軸支部材１１が挿通され、内枠体２４の角部に設けられた角金具１６の板状体１６０の貫通孔１６０ａに固定されている。従って、開閉用アーム１５は、内枠体２４に設けられた角金具１６の貫通孔１６０ａに固定された軸支部材１１により、一端で軸支されていることとなる。
【００２０】
図１には示していないが、他の対向する角部も、図示した部分の構成と同様に構成されており、対向する２箇所の角部近傍において、一対の開閉用アーム１５が一端で外枠体２７の側壁に固定された軸支部材１２により軸支され、他端で内枠体２４に設けられた角金具１６に固定された軸支部材１１により回動可能に軸支されているので、内枠体１２の開閉動作が可能になる。
【００２１】
また、図１（ｂ）に示すように、内枠体２４を閉じた状態とした際、軸支部材１２の近くの上方の外枠２７の側壁部には、掛止部材２５が設けられており、一方、開閉用アーム１５の貫通孔１５ｂと貫通孔１５ｃとの間にも、掛止部材２６が設けられている。そして、これらの掛止部材２５、２６の両方に引っ掛かるように、バネ部材１８が設けられている。バネ部材１８は、略１８０°近く屈曲した形状をなしており、開閉用アーム１５に設けられた掛止部材２６へ引っ掛かるように、掛止部材２６の近くでほぼ９０°屈曲した後、もう一度、反対側に９０°近く屈曲し、屈曲前の方向とほぼ同じ方向に伸びており、内枠体２４を閉じた状態とした際、掛止部材２６がバネ部材１８の屈曲部分で止まるようになっている。
【００２２】
バネ部材１８は、負荷がかかっていない状態で図１（ｂ）に示すように、１８０°近く屈曲しており、内枠体２４が開くと、屈曲部の上より右方に延びる上部１８ａが外枠体２７の上部より内側に張り出した部分に押し付けられて固定され、他方の下部１８ｂが掛止部材２６により広角度方向に押し広げられるため、バネ部材１８は、もとに戻る方向、すなわち、内枠体２４が閉まる方向に付勢される。
【００２３】
このため、天井点検口１０を開く際に急激に開く動作とならず、比較的ゆっくりと開いていく動作が実現され、閉じる際には、バネ部材１８の付勢力により、大きな力を入れなくても、比較的スムーズに閉じることができる。このように、急激な開閉動作を避けることができるため、安全であるとともに、回転部分に負担がかかりにくく、長期にわたって故障等が発生しにくい天井点検口を提供することができる。
【００２４】
なお、図１（ｂ）に示す天井点検口１０において、右側の外枠体２７及び内枠体２４の上に設けられているのは、下がり防止金具２２であり、内枠体２４をロックした際、内枠体２４がその状態を保持できるようになっている。また、図１（ｂ）の左側に示すように、内枠体２４の開閉部材が設けられている部分と反対の部分には、通常、内枠体２４を閉鎖状態でロックするためのロック機構が設けられている。下がり防止金具２２は、閉じた状態で上述のように機能するが、ロックを解除すると内枠体２４と離れた状態となる。すなわち、ロックを解除すると、内枠体２４は、その自重により徐々に下降する。
【００２５】
また、内枠体２４の下部から外枠体２７まで所定幅で外側に延設された部分の見栄えをよくするために樹脂カバー２３が設けられており、内枠体２４の延設部分に、下側から嵌め込む構造となっている。なお、内側、外側とは、内枠体２４の中を基準として記載している。
【００２６】
図１（ｂ）の左側に示すように、内枠体２４の側壁の外側に回動可能に取り付けられたロック軸２１は、下端にドライバーを差し込むためのドライバー用溝が形成され、上端にロックカム１９が配設され、固定金具２８により、ロックカム１９がロック軸２１に固定されている。
【００２７】
通常、天井点検口１０の内枠体２４を図１（ｂ）に示すように、閉鎖状態としているが、点検等を行う場合には、まず、ロック軸２１のドライバー溝にドライバーを差し込んで、ロックカム１９を回転させ、ロックが解除された状態とする。
【００２８】
このように、ロックを解除すると、内枠体２４の自重により、そのまま放置しても所定の速度で、ロック機構が形成された側がゆっくりと下降し、最後には、ほぼ内枠体２４が鉛直の状態となる（図２参照）。
【００２９】
内枠体２４をこのような状態とすることにより、天井裏の点検を容易に行うことができ、内枠体２４が急激に降下することによる危険な状態を回避することができる。
閉じる際には、内枠体２４が閉じる方向にバネ部材１８が付勢されているため、余り力を入れることなく、比較的スムーズに閉じることができる。
このように、スムーズな開閉を実現することができ、しかも、回転部分に負担がかからず、長期にわたって故障等が発生しにくい天井点検口を提供することができる。
【図面の簡単な説明】
【００３０】
【図１】（ａ）は、本発明に係る天井点検口の角部の一部を模式的に示す平面図であり、（ｂ）は、（ａ）に示した部分を含む天井点検口の縦断面図である。
【図２】内枠体が開いた状態の天井点検口を示す正面図である。
【図３】（ａ）は、内枠体の角部に取り付ける角金具を模式的に示す正面図であり、（ｂ）は、該角金具の平面図であり、（ｃ）は、該角金具の側面図である。
【符号の説明】
【００３１】
１０  天井点検口
１１、１２  軸支部材
１３  ワッシャー
１５  開閉用アーム
１６、１７  角金具
１８  バネ部材
１９  ロックカム
２０  ロック取付金具
２１  ロック軸
２２  下がり防止金具
２３  樹脂カバー
２４  内枠体
２７  外枠体
２８  固定金具
【図１】
0004749837.tif 000002
【図２】
0004749837.tif 000003
【図３】
0004749837.tif 000004